(57)【要約】本実施形態に係る空気調和機の室外機は、室外機本体の底部を構成する底板と、前記底板に設けられる排水口と、前記底板の内面に設けられるヒータと、前記底板の内面において前記ヒータを固定する固定具と、を備え、前記固定具は、前記排水口の周囲において前記ヒータを保持するヒータ保持部と、前記ヒータ保持部と前記排水口との間を遮蔽する遮蔽部と、を備える。
2019044297.tif 000002
【特許請求の範囲】
【請求項１】
室外機本体の底部を構成する底板と、
前記底板に設けられる排水口と、
前記底板の内面に設けられるヒータと、
前記底板の内面において前記ヒータを固定する固定具と、を備え、
前記固定具は、
前記排水口の周囲において前記ヒータを保持するヒータ保持部と、
前記ヒータ保持部と前記排水口との間を遮蔽する遮蔽部と、
を備える空気調和機の室外機。
【請求項２】
前記遮蔽部は、前記排水口との間に空間部を形成する請求項１に記載の空気調和機の室外機。
【請求項３】
前記固定具は、前記ヒータ保持部よりも前記排水口側となる部分に、前記排水口の周囲に接触する接触部をさらに備える請求項１または２に記載の空気調和機の室外機。
【発明の詳細な説明】
【技術分野】
【０００１】
本発明の実施形態は、空気調和機の室外機に関する。
【背景技術】
【０００２】
例えば寒冷地向けに製造される空気調和機の室外機においては、室外機本体の底部を構成する底板に、ドレン水を排出するための排水口を備え、さらに、底板の内面に、ドレン水の凍結を防止するためのヒータを備える構成が考えられている（例えば、特許文献１参照）。
【先行技術文献】
【特許文献】
【０００３】
【特許文献１】特開２００４−６９２２０号公報
【発明の概要】
【発明が解決しようとする課題】
【０００４】
この種の室外機においては、ドレンホースを接続するためのソケットを排水口に取り付けることが一般的である。そのため、例えば特許文献１に開示されている従来の構成では、ヒータを固定する固定具に穴を設け、これにより、ソケットと固定具との干渉を回避するようにしている。【０００５】
しかしながら、固定具に穴が設けられた構成では、室外機本体の外部から排水口および固定具の穴を通して人の指が入り込むおそれがあり、さらに、その入り込んだ指がヒータまで到達してしまうおそれがある。【０００６】
そこで、本実施形態は、室外機本体の外部から排水口を通して人の指が入り込んだとしても、その入り込んだ指がヒータに到達してしまうことを防止することができる空気調和機の室外機を提供する。
【課題を解決するための手段】
【０００７】
本実施形態に係る空気調和機の室外機は、底板、排水口、ヒータ、固定具を備える。底板は、室外機本体の底部を構成する。排水口は、前記底板に設けられている。ヒータは、前記底板の内面に設けられている。固定具は、前記底板の内面において前記ヒータを固定する。そして、前記固定具は、ヒータ保持部、遮蔽部を備える。ヒータ保持部は、前記排水口の周囲において前記ヒータを保持する。遮蔽部は、前記ヒータ保持部と前記排水口との間を遮蔽する。
【図面の簡単な説明】
【０００８】
【図１】本実施形態に係る空気調和機の室外機を構成する底板部分の構成例を概略的に示す外観斜視図
【図２】底板の構成例を概略的に示す平面図
【図３】図２のＦ３−Ｆ３線に沿う底板の断面図
【図４】固定具およびその周辺部分の構成例を概略的に示す断面図
【図５】固定具の構成例を概略的に示す斜視図
【発明を実施するための形態】
【０００９】
以下、空気調和機の室外機に係る一実施形態について図面を参照しながら説明する。図１に例示する空気調和機の室外機１０は、その外郭を構成する室外機本体１１の底部が底板１２により構成されている。底板１２は、底面が浅い容器状をなしている。図２にも例示するように、底板１２の底部には、図示しない圧縮機やアキュームレータなどが載置される圧縮機類載置部１３、および、図示しない熱交換器などが載置される熱交換器類載置部１４などが設けられている。圧縮機類載置部１３および熱交換器類載置部１４は、底板１２の底部から室外機本体１１の内方、この場合、上方に突出する凸形状となっている。
【００１０】
図３および図４に例示するように、底板１２の底部には、排水凹部１５が設けられている。排水凹部１５は、底板１２の底部から室外機本体１１の外方、この場合、下方に窪む凹形状となっている。排水凹部１５は、底板１２のうち圧縮機類載置部１３や熱交換器類載置部１４などが設けられていない平坦な部分に設けられている。本実施形態では、排水凹部１５は、熱交換器類載置部１４に載置される熱交換器の下方に位置するように設けられている。
【００１１】
そして、この排水凹部１５の底部の中央部には、底板１２を貫通する円形の排水口１６が設けられている。室外に設置される室外機１０においては、室外機本体１１の内部に雨や雪が浸入する場合があり、この場合、その雨や雪によりドレン水が発生する。また、熱交換器に発生した霜を融かす除霜運転を実行した場合には、その除霜水がドレン水として発生する。排水口１６は、このように室外機本体１１の内部において発生し得るドレン水を外部に排出するために底板１２に設けられた貫通孔である。
【００１２】
また、図２に例示するように、底板１２の底部には、ドレン溝１７が設けられている。ドレン溝１７は、底板１２のうち圧縮機類載置部１３や熱交換器類載置部１４などが設けられていない平坦な部分に設けられている。本実施形態では、ドレン溝１７は、熱交換器類載置部１４に載置される熱交換器の下方に位置するように設けられている。また、ドレン溝１７は、排水口１６を有する排水凹部１５の周端部に接続している。ドレン溝１７は、室外機本体１１の内部において発生したドレン水を排水凹部１５、ひいては、排水口１６に導く機能を有している。
【００１３】
また、底板１２の底部の内面側、この場合、上面側には、ヒータ１８が設けられている。ヒータ１８は、例えばシーズヒータにより構成される線状のヒータであり、底板１２のうち圧縮機類載置部１３や熱交換器類載置部１４などが設けられていない平坦な部分に設けられている。本実施形態では、ヒータ１８は、熱交換器類載置部１４に載置される熱交換器の下方に位置するように設けられている。また、ヒータ１８は、その一部が、排水口１６を有する排水凹部１５の周囲の複数箇所、この場合、２か所を通るように引き回されている。これにより、排水口１６を有する排水凹部１５は、ヒータ１８のうちの２つの部分により挟まれた状態となっている。また、ヒータ１８において排水凹部１５を挟む２つの部分は、底板１２の上方から見て、相互に平行な状態で配置された構成となっている。
【００１４】
ヒータ１８は、底板１２の底部の内面側において固定具２０により固定されている。次に、この固定具２０の構成例について詳細に説明する。即ち、図５に例示するように、固定具２０は、１枚の金属製の板材を折り曲げることにより構成されており、複数、この場合、２つのヒータ保持部２１Ａ，２１Ｂと、１つの遮蔽部２２と、を備えている。
【００１５】
ヒータ保持部２１Ａは、主としてヒータ１８を保持する機能を有するメイン保持部２１Ａａと、ヒータ１８を押える押え部２１Ａｂと、を有する。メイン保持部２１Ａａは、ほぼ直角に折り曲げられ、且つ、下方に開放した断面コ字状の構成要素となっており、ヒータ１８が下方側から嵌り込むようになっている。メイン保持部２１Ａａは、底板１２の底部の内面との間でヒータ１８を上方から押えるようにして保持する。押え部２１Ａｂは、メイン保持部２１Ａａの近傍において水平に延出する板状の構成要素となっている。押え部２１Ａｂは、メイン保持部２１Ａａの近傍においてヒータ１８を上方から押えることにより、メイン保持部２１Ａａによるヒータ１８の保持機能を補助する機能を有している。また、押え部２１Ａｂは、当該押え部２１Ａａの下方におけるヒータ１８の大きさよりも大きな面積を有している。これにより、当該押え部２１Ａｂの下方におけるヒータ１８の折り曲げ角度の設計が変更されたとしても、その設計変更後のヒータ１８を上方から補助的に抑える機能を発揮できるように構成されている。
【００１６】
ヒータ保持部２１Ｂは、主としてヒータ１８を保持する機能を有するメイン保持部２１Ｂａと、ヒータ１８を押える押え部２１Ｂｂと、を有する。メイン保持部２１Ｂａは、ほぼ直角に折り曲げられ、且つ、下方に開放した断面コ字状の構成要素となっており、ヒータ１８が下方側から嵌り込むようになっている。メイン保持部２１Ｂａは、底板１２の底部の内面との間でヒータ１８を上方から押えるようにして保持する。押え部２１Ｂｂは、メイン保持部２１Ｂａの近傍においてヒータ１８に沿って水平に延出する板状の構成要素となっている。押え部２１Ｂｂは、メイン保持部２１Ｂａの近傍においてヒータ１８を上方から押えることにより、メイン保持部２１Ｂａによるヒータ１８の保持機能を補助する機能を有している。また、押え部２１Ｂｂは、当該押え部２１Ｂｂの下方におけるヒータ１８の大きさとほぼ同じ面積を有している。即ち、固定具２０は、押え部２１Ｂｂの大きさを、必要最小限の大きさに抑えている。そのため、ヒータ保持部２１Ｂのコンパクト化、ひいては、固定具２０全体のコンパクト化を図ることができる。
【００１７】
遮蔽部２２は、２つのヒータ保持部２１Ａ，２１Ｂの間に設けられており、固定具２０の中央部を構成している。遮蔽部２２は、ほぼ直角に折り曲げられ、且つ、下方に開放した矩形箱状をなしている。そして、図３に例示するように、遮蔽部２２は、固定具２０がヒータ保持部２１Ａ，２１Ｂによりヒータ１８を固定した状態において、排水口１６を有する排水凹部１５の上方に位置するように構成されている。即ち、本実施形態に係る室外機１０は、排水口１６を含む排水凹部１５の上方が、下方に開放する矩形箱状の遮蔽部２２により覆われた構成となっている。これにより、遮蔽部２２は、ヒータ保持部２１Ａ，２１Ｂと排水口１６との間を遮蔽する。
【００１８】
固定具２０は、さらに、複数、この場合、２つの連結部２３Ａ，２３Ｂを備えている。連結部２３Ａは、遮蔽部２２の一端部とヒータ保持部２１Ａとを連結している。底板１２の上方から見て、連結部２３Ａは、ほぼ三角形状をなしており、これにより、ヒータ保持部２１Ａを遮蔽部２２の一端部に対して傾斜した状態で連結している。一方、連結部２３Ｂは、遮蔽部２２の他端部とヒータ保持部２１Ｂとを連結している。底板１２の上方から見て、連結部２３Ｂは、ほぼ三角形状をなしており、これにより、ヒータ保持部２１Ｂを遮蔽部２２の他端部に対して傾斜した状態で連結している。また、底板１２の上方から見て、連結部２３Ａの斜辺と連結部２３Ｂの斜辺とは相互に平行な状態となっている。よって、連結部２３Ａの斜辺に連結するヒータ保持部２１Ａと、連結部２３Ｂの斜辺に連結するヒータ保持部２１Ｂとは、相互に平行な状態となっている。これにより、固定具２０は、排水凹部１５の周囲において相互に平行な状態で配置されているヒータ１８の２か所を、ヒータ保持部２１Ａ，２１Ｂにより無理なく保持できるようになっている。
【００１９】
固定具２０は、さらに、複数、この場合、２つの被固定部２４Ａ，２４Ｂを備えている。被固定部２４Ａは、ヒータ保持部２１Ａよりも外側、つまり、遮蔽部２２とは反対側に設けられている。本実施形態では、被固定部２４Ａは、ヒータ保持部２１Ａのメイン保持部２１Ａａの外端部から外方に向かって延出している。一方、被固定部２４Ｂは、ヒータ保持部２１Ｂよりも内側、つまり、遮蔽部２２側に設けられている。本実施形態では、被固定部２４Ｂは、ヒータ保持部２１Ｂを遮蔽部２２に連結する連結部２３Ｂに一体的に設けられている。
【００２０】
図１および図２に例示するように、固定具２０は、これら被固定部２４Ａ，２４Ｂが、例えば、ねじ２５Ａ，２５Ｂにより底板１２の底部にねじ止めされる。これにより、固定具２０は、排水口１６を有する排水凹部１５の周囲において、ヒータ１８をヒータ保持部２１Ａ，２１Ｂにより保持した状態で固定される。このとき、被固定部２４Ａ，２４Ｂは、遮蔽部２２を挟んで相互に反対側に設けられている。そのため、被固定部２４Ａ側におけるヒータ保持部２１Ａによるヒータ１８の保持強度と、被固定部２４Ｂ側におけるヒータ保持部２１Ｂによるヒータ１８の保持強度とをほぼ均等にすることができ、排水凹部１５の周囲においてヒータ１８をバランス良く固定することができる。
【００２１】
また、図４に例示するように、固定部２０は、さらに、複数、この場合、２つの接触部２６Ａ，２６Ｂを備えている。接触部２６Ａは、ヒータ保持部２１Ａよりも排水口１６側となる部分、この場合、連結部２３Ａと遮蔽部２２の一端部との接続部分に設けられている。接触部２６Ａは、連結部２３Ａと遮蔽部２２の一端部との接続部分から下方に折り曲げられ、その先端部、この場合、下端部が排水凹部１５の底部に接触するようになっている。一方、接触部２６Ｂは、ヒータ保持部２１Ｂよりも排水口１６側となる部分、この場合、連結部２３Ｂと遮蔽部２２の他端部との接続部分に設けられている。接触部２６Ｂは、連結部２３Ｂと遮蔽部２２の他端部との接続部分から下方に折り曲げられ、その先端部、この場合、下端部が排水凹部１５の底部に接触するようになっている。接触部２６Ａ，２６Ｂは、排水凹部１５の底部において、排水口１６を挟んで相互に対向している。
【００２２】
固定具２０は、１枚の金属製の板材を折り曲げることにより構成されている。そのため、固定具２０の一部に接触部２６Ａを設けることに伴い、連結部２３Ａと遮蔽部２２の一端部との接続部分には開口部２７Ａが形成され、また、固定具２０の一部に接触部２６Ｂを設けることに伴い、連結部２３Ｂと遮蔽部２２の他端部との接続部分には開口部２７Ｂが形成される。しかし、これら開口部２７Ａ，２７Ｂの大きさは、例えば人の指先が入り込まない程度の大きさとなるように抑えられている。
【００２３】
図３に例示するように、排水口１６には、ソケット３０が底板１２の下方から着脱可能に取り付けられる。このソケット３０には、図示しないドレンホースが接続される。これにより、排水口１６から排出されるドレン水は、ソケット３０からドレンホース内に流れて室外機１０の外部に排出される。ここで、本実施形態では、遮蔽部２２は、排水口１６との間に十分な大きさを有する空間部４０を形成するようになっている。即ち、遮蔽部２２の上面は、排水口１６にソケット３０が取り付けられた状態において、そのソケット３０の上端面よりも高い位置となるように構成されている。
【００２４】
本実施形態に係る空気調和機の室外機１０によれば、底板１２の内面においてヒータ１８を固定する固定具２０は、排水口１６を有する排水凹部１５の周囲においてヒータ１８を保持するヒータ保持部２１Ａ，２１Ｂと、これらヒータ保持部２１Ａ，２１Ｂと排水口１６との間を遮蔽する遮蔽部２２と、を備えている。この構成によれば、例えばソケット３０が取り付けられていない状態において、室外機本体１１の外部から排水口１６を通して人の指が入り込んだとしても、その入り込んだ指がヒータ１８、あるいは、ヒータ１８を保持するヒータ保持部２１Ａ，２１Ｂに到達してしまうことを防止することができる。
【００２５】
また、本実施形態に係る室外機１０によれば、排水口１６を含む排水凹部１５の上方が、下方に開放する矩形箱状の遮蔽部２２により覆われた構成となっている。そのため、排水口１６から入り込んだ指が底板１２内においてどの方向に進んだとしても、その指は、矩形箱状の遮蔽部２２内の範囲でしか移動することができない。これにより、排水口１６から入り込んだ指がヒータ１８あるいはヒータ保持部２１Ａ，２１Ｂに到達してしまうことを防止することができ、人の指とヒータ１８あるいはヒータ保持部２１Ａ，２１Ｂとの接触を一層確実に防止することができる。
【００２６】
また、本実施形態に係る室外機１０によれば、遮蔽部２２は、排水口１６との間に十分な大きさを有する空間部４０を形成する。この構成によれば、排水口１６に取り付けられるソケット３０の上端部が遮蔽部２２の上面に当接してしまうことを回避することができ、排水口１６に対してソケット３０を適切な位置に取り付けることができる。また、一般的にプラスチック材料により形成されるソケット３０が、ヒータ１８を固定している金属製の固定具２０に接触しないことから、ヒータ１８が発生する熱が固定具２０を介してソケット３０に伝達してしまうことを回避することができ、熱によるソケット３０の変形や損傷を防止することができる。
【００２７】
また、本実施形態に係る室外機１０によれば、固定具２０は、排水口１６の近傍、この場合、排水凹部１５の底部に接触する接触部２６Ａ，２６Ｂを備えている。この構成によれば、ヒータ１８が発生する熱を接触部２６Ａ，２６Ｂを介して排水口１６の近傍に直接的に伝達させることができ、排水口１６およびその周辺部分においてドレン水が凍結してしまうことを回避することができる。
【００２８】
なお、本実施形態は、上述した実施形態に限られるものではなく、例えば、次のように変形または拡張することができる。例えば、固定具２０の形状や大きさは、排水口１６の形状、大きさ、位置、排水口１６の周囲におけるヒータ１８の形状、大きさ、位置などに応じて、適宜変更して実施することができる。具体的には、例えば、遮蔽部２２に対するヒータ保持部２１Ａ，２１Ｂの傾斜角度は、遮蔽部２２に対するヒータ１８の傾斜角度に応じて、適宜変更することができる。また、ヒータ保持部の数は、２つに限られず、例えば、１つであってもよいし、３つ以上の複数であってもよい。また、遮蔽部２２は、矩形箱状に限られず、排水口１６の上方のほぼ全体を覆うことが可能な形状であれば、例えば、円形箱状、楕円形箱状、多角形箱状などであってもよい。
【００２９】
本実施形態に係る空気調和機の室外機によれば、ヒータを固定する固定具は、ヒータ保持部と排水口との間を遮蔽部により遮蔽する。この構成によれば、室外機本体の外部から排水口を通して人の指が入り込んだとしても、その入り込んだ指がヒータに到達してしまうことを、遮蔽部により防止することができる。
【００３０】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【図１】
2019044297.tif 000003
【図２】
2019044297.tif 000004
【図３】
2019044297.tif 000005
【図４】
2019044297.tif 000006
【図５】
2019044297.tif 000007
【国際調査報告】
2019044297.tif 000008
2019044297.tif 000009
2019044297.tif 000010